(57)【要約】【課題】  「ＨＤ−ＤＶＤ」「blu-ray Disc」のように記録再生に使用するレーザ光の波長が等しく透明基板の厚さの違いが大きい光記録媒体につき透明基板の厚さの違いによって生じる球面収差を良好に補正し、これら光記録媒体に対し、選択的、互換的に情報信号の記録再生が行える光ピックアップ装置を提供する。【解決手段】  レーザ光源２１から発せられたレーザ光Ｌを光記録媒体２０１ａ，２０１ｃの信号記録層に透明基板を透して集光させる対物レンズ２８と、この対物レンズ２８の開口数を制限する開口制限手段２７と、対物レンズ２８と光記録媒体２０１ａ，２０１ｃとの間に挿入される補正板２９とを備える。「blu-ray Disc」２０１ａに対して記録再生を行うときには、対物レンズ２８の開口数の制限を行わず、補正板２９を挿入する。「ＨＤ−ＤＶＤ」２０１ｃに対する記録再生を行うときには、対物レンズ２８の開口数の制限を行い、補正板２９を除去する。【選択図】  図１
2006164331.tif 000002
【特許請求の範囲】
【請求項１】
透明基板上に第１の信号記録層を有する第１の光記録媒体、前記第１の光記録媒体の透明基板よりも厚い透明基板上に前記第１の信号記録層よりも記録密度が低い第２の信号記録層を有する第２の光記録媒体、及び、前記第１、第２の光記録媒体を積層させて一体的に構成した第３の光記録媒体のうちの少なくとも２種類の光記録媒体に対して選択的に情報信号の記録、消去、または、再生を行う光ピックアップ装置であって、
波長が４５０ｎｍ以下のレーザ光を出射するレーザ光源と、
開口数が０．７５以上となされ、前記レーザ光源から発せられたレーザ光を前記第１、または、第２の信号記録層に対して前記透明基板を透して集光して照射する対物レンズと、
前記対物レンズの開口数を制限する開口制限手段と、
前記対物レンズと前記光記録媒体との間に挿入される補正板と
を備え、
前記第１の信号記録層に対する記録、消去、または、再生を行うときには、前記開口制限手段による前記対物レンズの開口数の制限が行われず、前記対物レンズと前記第１の光記録媒体との間に補正板が挿入されることにより、正弦条件が略満足される状態となされ、
前記第２の信号記録層に対する記録、消去、または、再生を行うときには、前記開口制限手段による前記対物レンズの開口数の制限が行われ、前記対物レンズと前記第２の光記録媒体との間から補正板が除去されることにより、正弦条件が略満足される状態となされる
ことを特徴とする光ピックアップ装置。
【請求項２】
前記第１の光記録媒体の前記対物レンズの光軸に対するチルトを検出するチルト検出手段と、
前記補正板を前記対物レンズの光軸に対してチルトさせる補正板チルト手段と
を備え、
前記補正板チルト手段は、前記チルト検出手段によって検出された前記第１の光記録媒体のチルト量に応じて前記補正板をチルトさせることにより、コマ収差の発生を低減する
ことを特徴とする請求項１記載の光ピックアップ装置。
【請求項３】
前記補正板は、前記第１及び第２の光記録媒体の透明基板と略等しい屈折率を有する場合には、これら第１の光記録媒体の透明基板の厚さと第２の光記録媒体の透明基板の厚さとの差に相当する厚さを有する平行平面板であり、前記第１及び第２の光記録媒体の透明基板と異なる屈折率を有する場合には、凸レンズ、または、凹レンズとなっている
ことを特徴とする請求項１、または、請求項２記載の光ピックアップ装置。
【請求項４】
透明基板上に第１の信号記録層を有する第１の光記録媒体、前記第１の光記録媒体の透明基板よりも厚い透明基板上に前記第１の信号記録層よりも記録密度が低い第２の信号記録層を有する第２の光記録媒体、及び、前記第１、第２の光記録媒体を積層させて一体的に構成した第３の光記録媒体のうちの少なくとも２種類の光記録媒体に対して選択的に情報信号の記録、消去、または、再生を行う光ピックアップ装置であって、
波長が４５０ｎｍ以下のレーザ光を出射するレーザ光源と、
開口数が０．７５以上となされ、前記レーザ光源から発せられたレーザ光を前記第１、または、第２の信号記録層に対して前記透明基板を透して集光して照射する対物レンズと、
前記対物レンズの開口数を制限する開口制限手段と、
前記対物レンズと前記光記録媒体との間に挿入される第１の補正板と、
前記対物レンズと前記光記録媒体との間に挿入される前記第１の補正板よりも薄い第２の補正板と、
前記第１及び第２の光記録媒体の前記対物レンズの光軸に対するチルトを検出するチルト検出手段と、
前記第１及び第２の補正板を前記対物レンズの光軸に対してチルトさせる補正板チルト手段と
を備え、
前記第１の信号記録層に対する記録、消去、または、再生を行うときには、前記開口制限手段による前記対物レンズの開口数の制限が行われず、前記対物レンズと前記第１の光記録媒体との間に第１の補正板が挿入されることにより、正弦条件が略満足される状態となされるとともに、前記補正板チルト手段が前記チルト検出手段によって検出された前記第１の光記録媒体のチルト量に応じて前記第１の補正板をチルトさせることによりコマ収差の発生を低減し、
前記第２の信号記録層に対する記録、消去、または、再生を行うときには、前記開口制限手段により前記対物レンズの開口数が制限され、前記対物レンズと前記第２の光記録媒体との間に第２の補正板が挿入されることにより、正弦条件が略満足される状態となされるとともに、前記補正板チルト手段が前記チルト検出手段によって検出された前記第２の光記録媒体のチルト量に応じて前記第２の補正板をチルトさせることによりコマ収差の発生を低減する
ことを特徴とする光ピックアップ装置。
【請求項５】
前記第１及び第２の補正板は、前記第１及び第２の光記録媒体の透明基板と略等しい屈折率を有する場合には、これら第１の光記録媒体の透明基板の厚さと第２の光記録媒体の透明基板の厚さとの差に相当する厚さの差を有する平行平面板であり、前記第１及び第２の光記録媒体の透明基板と異なる屈折率を有する場合には、凸レンズ、または、凹レンズとなっている
ことを特徴とする請求項４記載の光ピックアップ装置。
【発明の詳細な説明】
【技術分野】
【０００１】
本発明は、１つのレーザ光源を用いて、透明基板の厚さが大きく異なる光記録媒体に対して選択的に記録、消去、または、再生が行えるようになされた光ピックアップ装置に関する。
【背景技術】
【０００２】
従来、円盤状の光ディスクやカード状の光カードなどの光記録媒体が使用されている。これら光記録媒体においては、透明基板上に形成された信号記録層に、映像情報、音声情報、コンピュータデータなどの種々の情報信号が、この信号記録層に螺旋状に形成された記録トラックに沿って記録される。そして、信号記録層に記録された情報信号は、この信号記録層に光束を集光して照射することによって、記録トラックに沿って再生される。
【０００３】
この光記録媒体は、極めて高密度に情報信号の記録を行うことができるとともに、高速で所望の情報信号を選択して再生することができるため、近年、種々の分野において多用されている。
【０００４】
このような光記録媒体である光ディスクとしては、例えば、「ＣＤ」（Compact Disc：商標名）や「ＤＶＤ」（Digital Versatile Disc：商標名）などが既に一般的に使用されている。「ＣＤ」においては、波長が７８０ｎｍ前後のレーザ光を、開口数（ＮＡ）が０．４５程度の対物レンズを介して集光させて信号記録層に照射し、情報信号の記録、または、再生を行う。この「ＣＤ」においては、レーザ光は、略１．２ｍｍの厚さの透明基板を透して、信号記録層に照射される。
【０００５】
また、「ＤＶＤ」においては、波長が６５０ｎｍ前後のレーザ光を、開口数（ＮＡ）が０．６程度の対物レンズを介して集光させて信号記録層に照射し、情報信号の記録、または、再生を行う。この「ＤＶＤ」においては、レーザ光は、略０．６ｍｍの厚さの透明基板を透して、信号記録層に照射される。この「ＤＶＤ」における情報信号の記録密度は、「ＣＤ」の６倍乃至８倍程度であり、ディスク基板の直径を「ＣＤ」に等しく１２ｃｍとした場合には、片面単層の信号記録層あたり４．７ＧＢ（ギガバイト）程度の記録容量となる。
【０００６】
そして、これら「ＣＤ」や「ＤＶＤ」よりも高密度の情報信号の記録が行えるものとして、「blu-ray Disc」（商標名）や「ＨＤ−ＤＶＤ」（High Definition ＤＶＤ）が提案されている。「blu-ray Disc」においては、波長が４５０ｎｍ以下のレーザ光を、開口数（ＮＡ）が０．８５程度の対物レンズを介して集光させて信号記録層に照射し、情報信号の記録、または、再生を行う。この「blu-ray Disc」においては、レーザ光は、略０．１ｍｍの厚さの透明基板を透して、信号記録層に照射される。この「blu-ray Disc」における情報信号の記録容量は、ディスク基板の直径を１２ｃｍとした場合には、片面単層の信号記録層あたり２５ＧＢ（ギガバイト）程度である。
【０００７】
また、「ＨＤ−ＤＶＤ」においては、波長が４５０ｎｍ以下のレーザ光を、開口数（ＮＡ）が０．６５程度の対物レンズを介して集光させて信号記録層に照射し、情報信号の記録、または、再生を行う。この「ＨＤ−ＤＶＤ」においては、レーザ光は、略０．６ｍｍの厚さの透明基板を透して、信号記録層に照射される。この「ＨＤ−ＤＶＤ」における情報信号の記録容量は、ディスク基板の直径を１２ｃｍとした場合には、片面単層の信号記録層あたり１５ＧＢ（ギガバイト）程度である。
【０００８】
ところで、特許文献１には、回折型光学素子であるホログラムと屈折型光学素子である対物レンズとからなる複合対物レンズを用いることによって、前述のように青色光ビーム（波長４５０ｎｍ）に対応し透明基板の厚さが約０．１ｍｍである「blu-ray Disc」と、赤色光ビーム（波長６５０ｎｍ）に対応し透明基板の厚さが約０．６ｍｍである「ＤＶＤ」とについて、選択的、互換的に記録及び再生が行えるようになされた光ピックアップ装置が記載されている。
【０００９】
この光ピックアップ装置における複合対物レンズは、図２２中の（ａ）乃至（ｃ）に示すように、円筒状のレンズホルダ１０１内の下方部位（光源側）にホログラム１０２Ａ，１０２Ｂ，１０２Ｃが取り付けられるとともに、レンズホルダ１０１内の上方部位（光記録媒体側）に対物レンズ１０３が取り付けられて構成されている。
【００１０】
これら複合対物レンズ１００Ａ，１００Ｂ，１００Ｃにおけるホログラム１０２Ａ，１０２Ｂ，１０２Ｃは、凹凸状（図２２中の（ａ））、または、階段状（図２２中の（ｂ））、もしくは、鋸歯状（図２２中の（ｃ））の回折格子が、輪帯状に複数形成されて構成されている。この複合対物レンズ１００Ａ，１００Ｂ，１００Ｃのホログラム１０２Ａ，１０２Ｂ，１０２Ｃにおいては、「blu-ray Disc」２０１ａに対する記録再生を行う青色光ビーム１０４は回折されることなく多くの光が透過し、一方、「ＤＶＤ」２０１ｂに対する記録再生を行う赤色光ビーム１０５は内周領域において回折される。このように、ホログラム１０２Ａ，１０２Ｂ，１０２Ｃにおける回折特性に波長依存性があるため、これら複合対物レンズ１００Ａ，１００Ｂ，１００Ｃを用いることにより、「blu-ray Disc」２０１ａと「ＤＶＤ」２０１ｂとの透明基板の厚さの違いによって発生する球面収差が補正される。
【００１１】
このような複合対物レンズ１００Ａ，１００Ｂ，１００Ｃを有する光ピックアップ装置は、透明基板の厚さが約０．１ｍｍである「blu-ray Disc」２０１ａと、透明基板の厚さが約０．６ｍｍである「ＤＶＤ」２０１ｂとについて、選択的、互換的に記録及び再生が可能となっている。
【特許文献１】特開２００４−７１１３４号公報。
【発明の開示】
【発明が解決しようとする課題】
【００１２】
ところで、前述した「blu-ray Disc」２０１ａと「ＤＶＤ」２０１ｂとでは、記録及び再生に用いるレーザ光の波長が異なる。そのため、このような波長の違いを利用して、特許文献１に記載されているように、ホログラムにおける回折によってそれぞれのレーザ光に異なる回折光を使用させることにより、球面収差の補正を行うことができる。したがって、１つの複合対物レンズ１００Ａ，１００Ｂ，１００Ｃを用いて、これら「blu-ray Disc」２０１ａ及び「ＤＶＤ」２０１ｂに対して記録及び再生を行うことができる。
【００１３】
ここで、前述した「ＨＤ−ＤＶＤ」（High Definition DVD）について、「blu-ray Disc」と共通の光ピックアップ装置によって記録及び再生を行うことを考える。「ＨＤ−ＤＶＤ」と「blu-ray Disc」とでは、使用するレーザ光の波長はともに４０５ｎｍ前後で等しく、透明基板の厚さ及び対物レンズの開口数（ＮＡ）が大きく異なる。すなわち、「ＨＤ−ＤＶＤ」では、透明基板の厚さが０．６ｍｍ前後で、対物レンズの開口数（ＮＡ）が０．６５程度であるのに対し、「blu-ray Disc」では、透明基板の厚さが０．１ｍｍ前後で、対物レンズの開口数（ＮＡ）が０．８５程度である。
【００１４】
したがって、「blu-ray Disc」用に構成された光ピックアップを用いて、「ＨＤ−ＤＶＤ」に対して記録、または、再生を行おうとしても、透明基板の厚さの違いにより発生する球面収差が大きく、記録、または、再生を行うことができない。また、「ＨＤ−ＤＶＤ」用に構成された光ピックアップを用いて、「blu-ray Disc」に対して記録、または、再生を行おうとしても、透明基板の厚さの違いにより発生する球面収差が大きく、記録、または、再生を行うことができない。
【００１５】
そして、「ＨＤ−ＤＶＤ」と「blu-ray Disc」とでは、記録及び再生に用いるレーザ光の波長が等しいため、前述のようにホログラムによってそれぞれのレーザ光に異なる回折光を使用させることができず、ホログラムを用いて球面収差の補正を行うことができない。
【００１６】
なお、対物レンズに入射される前のレーザ光がビームエキスパンダを通過するようにして、これらビームエキスパンダをなすレンズ間の間隔を変えることによって球面収差を補正することが提案されているが、「ＨＤ−ＤＶＤ」と「blu-ray Disc」とでは、透明基板の厚さの違いが大きいため、このようなビームエキスパンダによる球面収差の補正を行うことはできない。
【００１７】
そこで、本発明は、前述の実情に鑑みて提案されるものであって、「ＨＤ−ＤＶＤ」と「blu-ray Disc」のように、記録及び再生に使用するレーザ光の波長が等しく、透明基板の厚さの違いが大きい第１の光記録媒体及び第２の光記録媒体、または、これらを積層させた第３の光記録媒体について、透明基板の厚さの違いによって生じる球面収差を良好に補正し、これら各光記録媒体に対して、選択的、互換的に情報信号の記録、または、再生が行えるようになされた光ピックアップ装置を提供することを目的とする。
【課題を解決するための手段】
【００１８】
前述の課題を解決し、前記目的を達成するため、本発明に係る光ピックアップ装置は、以下のいずれかの構成を有するものである。
【００１９】
〔構成１〕
透明基板上に第１の信号記録層を有する第１の光記録媒体、第１の光記録媒体の透明基板よりも厚い透明基板上に第１の信号記録層よりも記録密度が低い第２の信号記録層を有する第２の光記録媒体、及び、第１、第２の光記録媒体を積層させて一体的に構成した第３の光記録媒体のうちの少なくとも２種類の光記録媒体に対して選択的に情報信号の記録、消去、または、再生を行う光ピックアップ装置であって、波長が４５０ｎｍ以下のレーザ光を出射するレーザ光源と、開口数が０．７５以上となされレーザ光源から発せられたレーザ光を第１、または、第２の信号記録層に対して透明基板を透して集光して照射する対物レンズと、対物レンズの開口数を制限する開口制限手段と、対物レンズと光記録媒体との間に挿入される補正板とを備え、第１の信号記録層に対する記録、消去、または、再生を行うときには、開口制限手段による対物レンズの開口数の制限が行われず、対物レンズと第１の光記録媒体との間に補正板が挿入されることにより、正弦条件が略満足される状態となされ、第２の信号記録層に対する記録、消去、または、再生を行うときには、開口制限手段による対物レンズの開口数の制限が行われ、対物レンズと第２の光記録媒体との間から補正板が除去されることにより、正弦条件が略満足される状態となされることを特徴とするものである。
【００２０】
この光ピックアップ装置においては、「ＨＤ−ＤＶＤ」と「blu-ray Disc」のように、記録及び再生に使用するレーザ光の波長が等しく、透明基板の厚さの違いが大きい第１の光記録媒体及び第２の光記録媒体について、透明基板の厚さの違いによって生じる球面収差を良好に補正し、これら各光記録媒体に対して、選択的、互換的に情報信号の記録、または、再生を行うことができる。
【００２１】
〔構成２〕
構成１を有する光ピックアップ装置において、第１の光記録媒体の対物レンズの光軸に対するチルトを検出するチルト検出手段と、補正板を対物レンズの光軸に対してチルトさせる補正板チルト手段とを備え、補正板チルト手段は、チルト検出手段によって検出された第１の光記録媒体のチルト量に応じて補正板をチルトさせることにより、コマ収差の発生を低減することを特徴とするものである。
【００２２】
この光ピックアップ装置においては、対物レンズの開口数（ＮＡ）の３乗に比例して発生するコマ収差が補正されるので、対物レンズの開口数（ＮＡ）が大きい場合であっても、コマ収差の発生を抑えることができる。
【００２３】
〔構成３〕
構成１、または、構成２を有する光ピックアップ装置において、補正板は、第１及び第２の光記録媒体の透明基板と略等しい屈折率を有する場合には、これら第１の光記録媒体の透明基板の厚さと第２の光記録媒体の透明基板の厚さとの差に相当する厚さを有する平行平面板であり、第１及び第２の光記録媒体の透明基板と異なる屈折率を有する場合には、凸レンズ、または、凹レンズとなっていることを特徴とするものである。
【００２４】
この光ピックアップ装置においては、補正板の屈折率が第１及び第２の光記録媒体の透明基板と異なる場合であっても、透明基板の厚さの違いによって生じる球面収差を良好に補正することができる。
【００２５】
〔構成４〕
透明基板上に第１の信号記録層を有する第１の光記録媒体、第１の光記録媒体の透明基板よりも厚い透明基板上に第１の信号記録層よりも記録密度が低い第２の信号記録層を有する第２の光記録媒体、及び、第１、第２の光記録媒体を積層させて一体的に構成した第３の光記録媒体のうちの少なくとも２種類の光記録媒体に対して選択的に情報信号の記録、消去、または、再生を行う光ピックアップ装置であって、波長が４５０ｎｍ以下のレーザ光を出射するレーザ光源と、開口数が０．７５以上となされレーザ光源から発せられたレーザ光を第１、または、第２の信号記録層に対して透明基板を透して集光して照射する対物レンズと、対物レンズの開口数を制限する開口制限手段と、対物レンズと光記録媒体との間に挿入される第１の補正板と、対物レンズと光記録媒体との間に挿入される第１の補正板よりも薄い第２の補正板と、第１及び第２の光記録媒体の対物レンズの光軸に対するチルトを検出するチルト検出手段と、第１及び第２の補正板を対物レンズの光軸に対してチルトさせる補正板チルト手段とを備え、第１の信号記録層に対する記録、消去、または、再生を行うときには、開口制限手段による対物レンズの開口数の制限が行われず、対物レンズと第１の光記録媒体との間に第１の補正板が挿入されることにより、正弦条件が略満足される状態となされるとともに、補正板チルト手段がチルト検出手段によって検出された第１の光記録媒体のチルト量に応じて第１の補正板をチルトさせることによりコマ収差の発生を低減し、第２の信号記録層に対する記録、消去、または、再生を行うときには、開口制限手段により対物レンズの開口数が制限され、対物レンズと第２の光記録媒体との間に第２の補正板が挿入されることにより、正弦条件が略満足される状態となされるとともに、補正板チルト手段がチルト検出手段によって検出された第２の光記録媒体のチルト量に応じて第２の補正板をチルトさせることによりコマ収差の発生を低減することを特徴とするものである。
【００２６】
この光ピックアップ装置においては、「ＨＤ−ＤＶＤ」と「blu-ray Disc」のように、記録及び再生に使用するレーザ光の波長が等しく、透明基板の厚さの違いが大きい第１の光記録媒体及び第２の光記録媒体について、透明基板の厚さの違いによって生じる球面収差を良好に補正し、これら各光記録媒体に対して、選択的、互換的に情報信号の記録、または、再生を行うことができ、また、対物レンズの開口数（ＮＡ）の３乗に比例して発生するコマ収差が補正されるので、対物レンズの開口数（ＮＡ）が大きい場合であっても、コマ収差の発生を抑えることができる。
【００２７】
〔構成５〕
構成４を有する光ピックアップ装置において、第１及び第２の補正板は、第１及び第２の光記録媒体の透明基板と略等しい屈折率を有する場合には、これら第１の光記録媒体の透明基板の厚さと第２の光記録媒体の透明基板の厚さとの差に相当する厚さの差を有する平行平面板であり、第１及び第２の光記録媒体の透明基板と異なる屈折率を有する場合には、凸レンズ、または、凹レンズとなっていることを特徴とするものである。
【００２８】
この光ピックアップ装置においては、第１及び第２の補正板の屈折率が第１及び第２の光記録媒体の透明基板と異なる場合であっても、透明基板の厚さの違いによって生じる球面収差を良好に補正することができる。
【発明の効果】
【００２９】
本発明に係る光ピックアップ装置においては、記録及び再生に使用するレーザ光の波長が等しく、透明基板の厚さの違いが大きい第１の光記録媒体及び第２の光記録媒体について、透明基板の厚さの違いによって生じる球面収差を良好に補正し、これら各光記録媒体に対して、選択的、互換的に情報信号の記録、または、再生を行うことができる。
【００３０】
また、本発明に係る光ピックアップ装置においては、記録及び再生に使用するレーザ光の波長が等しく、透明基板の厚さの違いが大きい第１の光記録媒体及び第２の光記録媒体について、透明基板の厚さの違いによって生じる球面収差を良好に補正し、これら各光記録媒体に対して、選択的、互換的に情報信号の記録、または、再生を行うことができ、また、対物レンズの開口数（ＮＡ）の３乗に比例して発生するコマ収差が補正されるので、対物レンズの開口数（ＮＡ）が大きい場合であっても、コマ収差の発生を抑えることができる。
【００３１】
すなわち、本発明は、「ＨＤ−ＤＶＤ」と「blu-ray Disc」のように、記録及び再生に使用するレーザ光の波長が等しく、透明基板の厚さの違いが大きい第１の光記録媒体及び第２の光記録媒体、または、これらを積層させた第３の光記録媒体について、透明基板の厚さの違いによって生じる球面収差を良好に補正し、これら各光記録媒体に対して、選択的、互換的に情報信号の記録、または、再生が行えるようになされた光ピックアップ装置を提供することができるものである。
【発明を実施するための最良の形態】
【００３２】
以下、本発明に係る光ピックアップ装置の最良の実施の形態について、図面を参照して詳細に説明する。
【００３３】
〔第１の実施の形態〕
図１は、本発明に係る光ピックアップ装置の全体構成を示す側面図である。
【００３４】
この光ピックアップ装置は、図１に示すように、光ディスク駆動装置１０内において、光記録媒体となる光ディスクの主面部に平行に、この光ディスクの径方向に移動可能に設置される。この光ディスク駆動装置においては、第１乃至第３の光記録媒体である光ディスクのうちのいずれもを選択的に使用することができる。
【００３５】
第１の光記録媒体である光ディスクは、例えば、「blu-ray Disc」規格に基づく「blu-ray Disc」であり、０．０５ｍｍ乃至０．１５ｍｍ程度の薄い透明基板上に形成された信号記録層に対して、透明基板を透して照射される波長４５０ｎｍ以下のレーザ光によって、情報信号を高密度に記録し、また、再生することができるものである。なお、この「blu-ray Disc」は、補強板が貼合せられることにより、ディスク全体の厚さは、例えば、１．２ｍｍ程度となされる。
【００３６】
第２の光記録媒体である光ディスクは、例えば、「ＨＤ−ＤＶＤ」規格に基づく「ＨＤ−ＤＶＤ」であり、第１の光記録媒体の透明基板よりも厚い０．５５ｍｍ乃至０．６５ｍｍ程度の透明基板上に形成された信号記録層に対して、透明基板を透して照射される波長４５０ｎｍ以下のレーザ光によって、情報信号を高密度に記録し、また、再生することができるものである。この「ＨＤ−ＤＶＤ」も、補強板が貼合せられることにより、ディスク全体の厚さは、例えば、１．２ｍｍ程度となされる。
【００３７】
第３の光記録媒体は、これら第１及び第２の光記録媒体の各信号記録層を一体的に積層させて構成したものであり、各信号記録層については、第１及び第２の光記録媒体における信号記録層と同様に扱うことができる。この第３の光記録媒体は、全体のディスク厚としては略１．２ｍｍ程度に形成される。
【００３８】
なお、以下の説明では、第１の光記録媒体として「blu-ray Disc」２０１ａを用い、第２の光記録媒体として「ＨＤ−ＤＶＤ」２０１ｃを用いる場合について説明する。また、第３の光記録媒体については、第１の光記録媒体を使用する場合、または、第２の光記録媒体を使用する場合と同様の動作によって使用することができるので、説明を省略する。ただし、第１乃至第３の光記録媒体としては、円盤状の光ディスクに限定されることなく、例えば、カード状の光記録媒体として構成したものをも使用することができる。
【００３９】
光ディスク駆動装置１０内においては、「blu-ray Disc」２０１ａ及び「ＨＤ−ＤＶＤ」２０１ｃは、スピンドルモータ１１の軸に固着されたターンテーブル１２上に選択的に装着される。これら「blu-ray Disc」２０１ａ及び「ＨＤ−ＤＶＤ」２０１ｃは、スピンドルモータ１１が駆動されることにより、ターンテーブル１２とともに回転操作される。この実施の形態では、「blu-ray Disc」２０１ａの透明基板の厚さｔ１は、０．１ｍｍとなされている。また、「ＨＤ−ＤＶＤ」２０１ｃの透明基板の厚さｔ２は、０．６ｍｍとなされている。
【００４０】
そして、光ピックアップ装置２０は、ターンテーブル１２上に装着された光ディスク２０１ａ，２０１ｃに対向する状態で、これら光ディスク２０１ａ，２０１ｃの径方向に移動操作可能に設置されている。
【００４１】
この光ピックアップ装置２０は、「blu-ray Disc」２０１ａ及び「ＨＤ−ＤＶＤ」２０１ｃに対応する波長４５０ｎｍ以下のレーザ光Ｌを出射するレーザ光源として、青色半導体レーザ２１を備えている。この実施の形態では、青色半導体レーザ２１から出射されるレーザ光Ｌの基準波長は、例えば、４０５ｎｍとなされている。この青色半導体レーザ２１から出射されるレーザ光Ｌは、直線偏光の発散光である。
【００４２】
青色半導体レーザ２１から出射されたレーザ光Ｌは、グレーテイング２２を透過して３本以上の光束に分割され、偏光ビームスプリッタ２３の偏光選択性誘電体多層膜２３ａを透過し、コリメータレンズ２４に入射する。このレーザ光Ｌは、偏光選択性誘電体多層膜２３ａに対しては、Ｐ偏光状態で入射し、この偏光選択性誘電体多層膜２３ａを透過する。
【００４３】
コリメータレンズ２４に入射したレーザ光Ｌは、このコリメータレンズ２４によって平行光束となされ、立ち上げ用の平面ミラー２５によって９０°偏向され、位相板２６に入射される。この位相板２６は、レーザ光Ｌを円偏光として透過させる。この位相板２６としては、レーザ光Ｌが透過するときにこのレーザ光Ｌに〔λ／４〕（四分の一波長）の位相差を与えるものを使用することができる。
【００４４】
位相板２６を透過したレーザ光Ｌは、開口制限手段となる開口制限部２７を経て、対物レンズ２８に入射される。この対物レンズ２８は、「blu-ray Disc」２０１ａを用いる場合には、レーザ光Ｌを集光させて補正板２９を透過させ、「blu-ray Disc」２０１ａの透明基板を透して、この「blu-ray Disc」２０１ａの信号記録層２０２ａ上に照射する。また、この対物レンズ２８は、「ＨＤ−ＤＶＤ」２０１ｃを用いる場合には、レーザ光Ｌを集光させ、「ＨＤ−ＤＶＤ」２０１ｃの透明基板を透して、この「ＨＤ−ＤＶＤ」２０１ｃ信号記録層２０２ｃ上に照射する。
【００４５】
この対物レンズ２８は、「blu-ray Disc」に対応して、開口数（ＮＡ）が０．７５以上となされるとともに、「ＨＤ−ＤＶＤ」の透明基板の厚さｔ２（０．６ｍｍ）に対応して設計されている。この対物レンズ２８は、レーザ光源側となる第１面２８ａ及び光ディスク２０１ａ，２０１ｃ側となる第２面２８ｂの少なくとも一方が非球面となされた１群１枚のレンズである。この対物レンズ２８は、この実施の形態においては、開口数（ＮＡ）が０．８５の単玉レンズとなっており、第１面２８ａ及び第２面２８ｂのいずれもが非球面となされており、波長（λ）４０５ｎｍのレーザ光Ｌに対して無限共役で最適化されている。そして、この対物レンズ２８と「blu-ray Disc」２０１ａの透明基板の表面（レーザビームＬの入射面）２０３ａとの間の距離、すなわち作動距離は、光路中に挿入される補正板２９の厚さを除いて、略０．５７ｍｍ程度である。
【００４６】
この対物レンズ２８は、レンズホルダ３７によって保持されている。このレンズホルダ３７の外周には、フォーカスコイル３８及びトラッキングコイル３９が一体的に取り付けられている。そして、レンズホルダ３７は、外周に固着された図示しない複数本のサスペンションワイヤを介して、対物レンズ２８の光軸方向（フォーカス方向）及びこの光軸に直交する光ディスクの径方向（トラッキング方向）に移動可能に支持されている。フォーカスコイル３８及びトラッキングコイル３９は、図示しない永久磁石により形成される磁界中に位置されており、駆動電流を供給されることにより、レンズホルダ３７をフォーカス方向及びトラッキング方向に移動操作するようになっている。
【００４７】
補正板２９は、各光ディスク２０１ａ，２０１ｃの透明基板に等しい屈折率を有する透明部材、例えば、ポリカーボネイト（Polycarbonate）により形成された平行平面板である。なお、ポリカーボネイトの屈折率は、波長（λ）４０５ｎｍにおいて、１．６２２３１である。また、補正板２９をなす材料としては、ポリカーボネイトに近い屈折率を有する材料、例えば、波長（λ）４０５ｎｍにおいて、屈折率が１．６１９８３である「ＳＫ１４」などでもよい。この補正板２９の厚さは、「blu-ray Disc」２０１ａの透明基板の厚さｔ１と「ＨＤ−ＤＶＤ」２０１ｃの透明基板の厚さｔ２との差に相当する厚さ、例えば、０．５ｍｍとなされている。
【００４８】
この補正板２９は、連結部材３５を介して、ホルダー３２によって保持されている。このホルダー３２は、支軸３３に対して一体に形成されている。この支軸３３は、駆動モータ３４によって回動操作可能となっている。すなわち、補正板２９は、駆動モータ３４によって、対物レンズ２８からの出射光の光軸上に挿入される位置と、この光軸上から除去される位置とに亘って、移動操作可能となっている。この補正板２９は、「blu-ray Disc」２０１ａを用いる場合には、光軸上に挿入され、「ＨＤ−ＤＶＤ」２０１ｃを用いる場合には、光軸上から除去される。
【００４９】
この光ピックアップ装置２０においては、対物レンズ２８により集光されたレーザ光Ｌによって、「blu-ray Disc」２０１ａの信号記録層２０２ａ、または、「ＨＤ−ＤＶＤ」２０１ｃの信号記録層２０２ｃへの情報信号の記録、消去、または、再生が行われる。
【００５０】
信号記録層２０２ａ，２０２ｃにおいて反射されたレーザ光Ｌ（反射光）は、往路光と反対回りの円偏光となって対物レンズ２８に再入射し、この対物レンズ２８により平行光となされ、開口制限部２７を経て、位相板２６を透過することにより、往路光と偏光方向が直交する直線偏光（Ｓ偏光）となる。
【００５１】
この反射光は、平面ミラー２５により９０°偏向され、コリメータレンズ２４を透過して収束光となり、偏光ビームスプリッタ２３に戻る。この反射光は、往路光に対して偏光方向が直交した直線偏光（Ｓ偏光）であるので、この偏光ビームスプリッタ２３において、偏光選択性誘電体多層膜２５ａによって反射され、シリンドリカルレンズ３０を透過して、光検出器３１に受光される。そして、光検出器３１により、「blu-ray Disc」２０１ａの信号記録層２０２ａ、または、「ＨＤ−ＤＶＤ」２０１ｃの信号記録層２０２ｃを再生した時のトラッキングエラー信号、フォーカスエラー信号、メインデータ信号が検出される。
【００５２】
この光ピックアップ装置においては、「blu-ray Disc」２０１ａを用いる場合には、開口制限部２７による開口制限は行われず、補正板２９が光路中に挿入される。そして、この光ピックアップ装置においては、「ＨＤ−ＤＶＤ」２０１ｃを用いる場合には、開口制限部２７による開口制限が行われ、補正板２９が光路中から除去される。
【００５３】
「blu-ray Disc」２０１ａを用いる場合には、レーザ光Ｌに対して球面収差が最小となる作動距離（対物レンズ２８の第２面２８ｂと「blu-ray Disc」２０１ａの透明基板の表面２０３ａ（レーザ光Ｌの入射面）との間の距離）は、補正板の厚さ０．５ｍｍと、略０．５７ｍｍ程度とを加えた距離となる。そして、「ＨＤ−ＤＶＤ」２０１ｃを用いる場合には、レーザ光Ｌに対して球面収差が最小となる作動距離（対物レンズ２８の第２面２８ｂと「ＨＤ−ＤＶＤ」２０１ｃの透明基板の表面２０３ｃ（レーザ光Ｌの入射面）との間の距離）は、略０．５７ｍｍ程度である。
【００５４】
図２は、開口制限部として使用する液晶シャッタの液晶パターンを示す平面図である。
【００５５】
開口制限部２７は、図２に示すように、環状のパターンを有する液晶シャッタ２７ａから構成されている。この開口制限部２７において、内周部２７ｂは、「blu-ray Disc」２０１ａ及び「ＨＤ−ＤＶＤ」２０１ｃのどちらを用いる場合においても、レーザ光Ｌが透過する領域である。内周部２７ｂの周囲の環状の外周部２７ｃは、「blu-ray Disc」２０１ａを用いる場合にのみレーザ光Ｌを透過させ、「ＨＤ−ＤＶＤ」２０１ｃを用いる場合にはレーザ光Ｌを遮光する領域である。なお、このような液晶シャッタは、公知の技術によって構成することができる。
【００５６】
図３は、開口制限部として使用する液晶シャッタの動作原理を示す断面図である。
【００５７】
液晶シャッタ２７ａとしては、図３に示すように、例えば、ゲストホスト型液晶２７ｄを用いて構成されたものとすることができる。このゲストホスト型液晶２７ｄを、一対の基板ガラス２７ｅの間に設けることにより、液晶シャッタ２７ａが構成される。基板ガラス２７ｅとゲストホスト型液晶２７ｄの間には、図示しない電極が設けられている。この電極に電圧を印加しないＯＦＦ状態のときには、図３中の（ａ）に示すように、入射するレーザ光Ｌを遮光することなく、全て透過させ、「blu-ray Disc」２０１ａを用いる状態となる。このとき、対物レンズ２８の開口数（ＮＡ）は、０．８５となる。
【００５８】
そして、電極に電圧を印加するＯＮ状態のときには、図３中の（ｂ）に示すように、ゲストホスト型液晶２７ｄの配向方向が変化し、所定の偏光方向となされたレーザ光Ｌを外周部２７ｃにおいて遮光するので、「ＨＤ−ＤＶＤ」２０１ｃを用いる状態、すなわち、対物レンズ２８の開口数（ＮＡ）が０．６５に開口制限された状態となる。
【００５９】
なお、開口制限部２７は、前述のような液晶シャッタ２７ａを用いたものに限定されず、例えば、機械的な開口絞りを用いたものとしてもよい。このような開口絞りとしては、複数の羽根部よりなる絞り機構の各羽根部を回転させて開口を制限するものでもよいし、複数の径の異なる開口部を設けた遮光板を光軸に直交する方向に移動させて開口部を切り換えることにより開口を制限するものでもよい。さらに、開口制限部２７は、偏光選択性の光学素子を用いて開口を制限するものとしてもよい。
【００６０】
図４は、対物レンズ及び補正板の構成を示す側面図である。
【００６１】
対物レンズ２８は、開口数（ＮＡ）が「blu-ray Disc」２０１ａを用いる場合の開口数（０．８５）となされるとともに、「ＨＤ−ＤＶＤ」２０１ｃの透明基板の厚さｔ２に対応して、無限共役に最適化されて設計されている。この対物レンズ２８をなす硝材としては、例えば、「ＮＢＦ１」（ＨＯＹＡ製光学ガラス）を用いることができる。この対物レンズ２８は、レーザ光源側となる第１面２８ａ及び光ディスク２０１ａ，２０１ｃ側となる第２面２８ｂがともに非球面となされた１群１枚のレンズである。
【００６２】
対物レンズ２８の第２面２８ｂと、「blu-ray Disc」２０１ａの透明基板の表面（レーザ光Ｌの入射面）２０３ａとの間の作動距離ＷＤ１は、前述したように、補正板２９の厚み０．５ｍｍを除いて、略０．５７ｍｍ程度である。この作動距離ＷＤ１は、対物レンズ２８の第２面２８ｂから補正板２９の前面までの距離ＷＤ１１と補正板２９の後面から「blu-ray Disc」２０１ａの透明基板の表面２０３ａまでの距離ＷＤ１２を合わせたものになる。
【００６３】
また、対物レンズ２８の第２面２８ｂと、「ＨＤ−ＤＶＤ」２０１ｃの透明基板の表面（レーザ光Ｌの入射面）２０３ｃとの間の作動距離ＷＤ２は、作動距離ＷＤ１に等しく略０．５７ｍｍ程度である。このとき、補正板２９は、光路上から除去されている。
【００６４】
対物レンズ２８の第１面２８ａ及び第２面２８ｂの非球面形状は、以下の〔数１〕に示す多項式を用いて表すことができる。
【数１】
2006164331.tif 000003
【００６５】
この〔数１〕において、Ｚは対物レンズ２８の第１面２８ａ、または、第２面２８ｂの頂点からの距離、Ｃは第１面２８ａ、または、第２面２８ｂの曲率（曲率：半径の逆数）、ｈは対物レンズ２８の光軸からの高さ、Ｋはコーニック定数、Ａ４乃至Ａ１２は４次から１２次の非球面係数である。
【００６６】
ここで、光ディスクの反りの角度をαとして、光ディスクが単純なお椀型に反っていると考えると、光ディスクの中心からの距離Ｒの箇所において、光ディスクの面振れ量Ｌは、以下の〔数２〕によって表される。
【数２】
2006164331.tif 000004
【００６７】
光ディスクの反り角は、「ＤＶＤ」においては、０．３°以内とされている。光ディスクの面振れは、前述のお椀型の反り形状の場合には、最外周で最大になる。このとき、光ディスクの直径が１２０ｍｍであるとすると、０．３ｍｍの面振れが生じうる。そして、「ＤＶＤ」よりも情報記録の高密度化を図った「blu-ray Disc」２０１ａ及ぴ「ＨＤ−ＤＶＤ」２０１ｃにおいても、透明基板をなす材料は合成樹脂材料であり、「ＤＶＤ」の場合と同様の反り角が生じうる。したがって、「blu-ray Disc」２０１ａや「ＨＤ−ＤＶＤ」２０１ｃなど、最大半径が６０ｍｍの光ディスクにおいては、光ディスクの面振れを考慮すると、作動距離は、０．３ｍｍ以上であることが望ましい。
【００６８】
また、単玉レンズにおいては、一般に、作動距離ＷＤは、以下の〔数３〕のように表される。
【数３】
2006164331.tif 000005
【００６９】
この〔数３〕において、ｆは、対物レンズ２８の焦点距離、Ｒ１は、対物レンズ２８のレーザ光源側の面２８ａの頂点における曲率半径、ｔは、対物レンズ２８の中心厚さ、ｎは、対物レンズ２８の屈折率、ｄは、光ディスクの透明基板の厚さ、Ｎは、光ディスクの透明基板の屈折率である。光ディスクの透明基板の厚さｄについては、対物レンズ２８は「ＨＤ−ＤＶＤ」２０１ｃ用に最適化されているので、０．６ｍｍである。光ディスクの透明基板をなす材料はポリカーボネイト（Polycarbonate）であり、波長４０５ｎｍにおいて、屈折率Ｎは、１．５８≦Ｎ≦１．６５である。対物レンズ２８は、無限共役であるので、凸レンズであり、Ｒ１は正数（Ｒ１＞０）でなけれぱならない。また、対物レンズ２８の厚さは、正数（ｔ＞０）である。
【００７０】
なお、対物レンズ２８の第１面２８ａのサグ角度が大きいと、この対物レンズ２８をプレス成型によって作成する金型の作製が困難となるので、対物レンズ２８をなす材料としては、屈折率ｎが大きい材料を用いることにより、サグ角度を小さくする必要がある。実存する材料を考えると、対物レンズ２８に用いる硝材の屈折率は１．６５≦ｎ≦２．１が望ましい。
【００７１】
〔数３〕及び作動距離などの前記諸条件から、対物レンズ２８の焦点距離ｆは、０．６８ｍｍ以上（ｆ≧０．６８ｍｍ）とする必要がある。また、対物レンズ２８に入射する光束径をφとすると、以下の〔数４〕に表す関係がある。
【数４】
2006164331.tif 000006
【００７２】
入射する光束径が大きくなるほど光学部品が大型化し、光ピックアップ装置２０全体としても大型化してしまうので、対物レンズ２８に入射する光束径φは、１０ｍｍ以下（φ≦１０ｍｍ）が望ましい。対物レンズ２８の開口数（ＮＡ）は０．８５であるので、〔数４〕より、対物レンズ２８の焦点距離ｆは、５．８９ｍｍ以下（ｆ≦５．８９ｍｍ）であることが望ましい。
【００７３】
また、この対物レンズ２８は、使用する視野が狭くてもよいので、軸上収差と軸外収差とを良好に補正した特性を有するレンズ（アブラナート）として設計することが望ましい。さらに、対物レンズ２８の作製を容易化するために最も重要となるのは、第１面２８ａと第２面２８ｂとの偏芯公差を最大にすることである。このような偏芯公差が最大になるアブラナートレンズの第１面２８ａの曲率半径Ｒ１を求める一般式について、本出願人は、特願２００３−１６７１８８号において、下記の〔数５〕を開示している。
【数５】
2006164331.tif 000007
【００７４】
また、両面球面レンズにおいては、球面収差を最小にする半径の組み合わせが知られており、このようなレンズは、ベストフォーム・レンズと呼ぱれている。第１面２８ａの曲率半径Ｒ１及び第２面２８ｂの曲率半径Ｒ２を、以下の〔数６〕を満たすようにすることにより、ベストフォーム・レンズからの乖離を小さくし、球面収差を小さくすることができる。
【数６】
2006164331.tif 000008
【００７５】
前述した諸条件と、〔数５〕、〔数６〕とから、対物レンズ２８の第１面２８ａの曲率半径Ｒ１は、０．４６ｍｍ乃至７．１２ｍｍ（０．４６ｍｍ≦Ｒ１≦７．１２ｍｍ）、対物レンズ２８の厚さｔは、１１．８３ｍｍ以下（ｔ≦１１．８３ｍｍ）が望ましい。
【００７６】
なお、「blu-ray Disc」２０１ａに対して記録、または、再生を行う場合、対物レンズ２８からの出射光の光路中に、補正板２９を挿入する必要があるので、前述の諸条件中における作動距離ＷＤ１は、ＷＤ１１とＷＤ１２との和である。対物レンズ２８の第２面２８ｂと補正板２９の前面との衝突回避のため、距離ＷＤ１１は、０．１ｍｍ以上確保することが望ましく、光ディスクの面振れと合わせると、作動距離ＷＤ１（＝ＷＤ１１＋ＷＤ１２）は、０．４ｍｍ以上（ＷＤ１≧０．４ｍｍ）とすることがさらに望ましい。このとき、対物レンズ２８の第１面２８ａの曲率半径Ｒ１は、０．５１ｍｍ乃至７．１２ｍｍ（０．５１ｍｍ≦Ｒ１≦７．１２ｍｍ）、対物レンズの厚さｔは、１１．３６ｍｍ以下（ｔ≦１１．３６ｍｍ）であることが望ましい。
【００７７】
そして、光ピックアップ装置の小型化のためには、対物レンズ２８への入射光の光束径φは、５ｍｍ以下（φ≦５ｍｍ）であることが望ましく、焦点距離ｆは、２．９４ｍｍ以下（ｆ≦２．９４ｍｍ）であることが望ましい。
【００７８】
作動距離ＷＤ１が０．３ｍｍ以上（ＷＤ１≧０．３ｍｍ）であるとき、対物レンズ２８の第１面２８ａの曲率半径Ｒ１は、０．４６ｍｍ乃至３．２５ｍｍ（０．４６ｍｍ≦Ｒ１≦３．２５ｍｍ）、対物レンズ２８の厚さｔは、４．８ｍｍ以下（ｔ≦４．８ｍｍ）であることが望ましい。作動距離ＷＤ１が０．４ｍｍ以上（ＷＤ１≧０．４ｍｍ）であるときには、対物レンズ２８の第１面２８ａの曲率半径Ｒ１は、０．５１ｍｍ乃至３．２５ｍｍ（０．５１ｍｍ≦Ｒ１≦３．２５ｍｍ）、対物レンズ２８の厚さｔは、４．４４ｍｍ以下（ｔ≦４．４４ｍｍ）であることが望ましい。
【００７９】
この対物レンズ２８の硝材として、「ＮＢＦ１」（ＨＯＹＡ製光学ガラス）を用いた場合には、この対物レンズ２８の青色半導体レーザ２１から出射された波長４０５ｎｍのレーザ光Ｌに対する屈折率Ｎは、１．７６８９８５である。ここで、波長４０５ｎｍにおいて、無限共役に最適化して設計した対物レンズ２８の仕様を以下の〔表１〕に示す。
【表１】
2006164331.tif 000009
【００８０】
前述の〔数１〕の多項式を用いて、対物レンズ２８の第１面２８ａを非球面に形成するための非球面係数Ａ４乃至Ａ１２の一例を以下の〔表２〕に示す。
【表２】
2006164331.tif 000010
【００８１】
また、この〔数１〕の多項式を用いて、対物レンズ２８の第２面２８ｂを非球面に形成するための非球面係数Ａ４乃至Ａ１０の一例を以下の〔表３〕に示す。
【表３】
2006164331.tif 000011
【００８２】
この光ピックアップ装置において「blu-ray Disc」２０１ａを用いる場合の各光学素子の構成を以下の〔表４〕に示す。
【表４】
2006164331.tif 000012
【００８３】
また、この光ピックアップ装置において「ＨＤ−ＤＶＤ」２０１ｃを用いる場合の各光学素子の構成を以下の〔表５〕に示す。
【表５】
2006164331.tif 000013
【００８４】
これら〔表４〕及び〔表５〕より、この実施の形態においては、対物レンズ２８の第１面２８ａの頂点における曲率半径は２．０４６５１７ｍｍであり、第２面２８ｂの頂点における曲率半径は−１１．９０９３７４ｍｍであり、対物レンズ２８の第１面２８ａ及び第２面２８ｂ間のレンズ厚さは２．９４ｍｍであり、対物レンズ２８の第２面２８ｂから補正板２９の前面までの距離ＷＤ１１及び補正板２９の後面から「blu-ray Disc」２０１ａの表面までの距離ＷＤ１２を合わせた作動距離ＷＤ１と、対物レンズ２８の第２面２８ｂから「ＨＤ−ＤＶＤ」２０１ｃの表面までの作動距離ＷＤ２とは、ともに略０．５７ｍｍである。
【００８５】
図５は、対物レンズの開口数を０．８５としたときの正弦条件不満足量及び縦収差を示したグラフである。
【００８６】
図６は、対物レンズの開口数を０．６５としたときの正弦条件不満足量及び縦収差を示したグラフである。
【００８７】
また、対物レンズ２８は、レーザ光Ｌに対して、図５及び図６に示すように、「blu-ray Disc」２０１ａ及び「ＨＤ−ＤＶＤ」２０１ｃのいずれにも対応して、正弦条件を略満足するように設計されている。
【００８８】
図５において、縦軸はレーザ光Ｌの対物レンズ２８ヘの開口数（ＮＡ）０．８５に対して正規化した光線高さを示し、横軸はズレ量（ｍｍ）を示している。また、図６において、縦軸はレーザ光Ｌの対物レンズ２８ヘの開口数（ＮＡ）０．６５に対して正規化した光線高さを示し、横軸はズレ量（ｍｍ）を示している。
【００８９】
この実施の形態の光ピックアップ装置について、「blu-ray Disc」２０１ａの信号記録層２０２ａ上及び「ＨＤ−ＤＶＤ」２０１ｃの信号記録層２０２ｃ上における収差特性を以下の〔表６〕に示す。
【表６】
2006164331.tif 000014
【００９０】
この〔表６〕において、軸上収差は対物レンズ２８の光軸に平行にレーザ光Ｌを入射したときの波面収差を示し、像高特性は対物レンズ２８の光軸に対して０．３°傾いたレーザ光Ｌを入射したときの波面収差を示し、偏芯特性は対物レンズ２８の第１面２８ａ及び第２面２８ｂの中心の偏芯が３μｍであるときの波面収差を示している。
【００９１】
図５及び図６に示すように、「blu-ray Disc」２０１ａを用いるときと「ＨＤ−ＤＶＤ」２０１ｃを用いるときのそれぞれの開口数（０．８５及び０．６５）に合わせて、略正弦条件が満たされるように対物レンズ２８を設計することにより、〔表６〕に示すように、「blu-ray Disc」２０１ａ及び「ＨＤ−ＤＶＤ」２０１ｃの双方について、像高によって生じるコマ収差の発生を抑えることができる。また、縦収差について、それぞれの開口数に合わせて、ほぼ無収差として設計することにより、球面収差を抑えることができる。
【００９２】
以上説明したように、同一波長のレーザ光Ｌにより、透明基板の厚さ及び対応する対物レンズの開口数（ＮＡ）の異なる２種の光記録媒体について記録、または、再生を行うにあたり、対物レンズ２８の設計を、開口数については大きな開口数に対応し、透明基板の厚さについては厚い側の透明基板に対応したものとしておき、対物レンズ２８からの出射光の光路上に補正板を挿入した状態と、対物レンズ２８からの出射光の光路上から補正板を除去し対物レンズ２８の開口数を開口制限手段２７によって制限した状態とを切替えることにより、１つの光学系によって、両方の光記録媒体について、良好な記録及び再生を行うことができる。
【００９３】
〔第２の実施の形態〕
この光ピックアップ装置は、光ディスクが対物レンズ２８の光軸に対して垂直な状態から傾いた（チルトした）場合に生ずるコマ収差を、補正板２９を傾斜させることによって補正するように構成することができる。
【００９４】
図７は、「blu-ray Disc」２０１ａが正規の位置からチルトしたときの状態を示す側面図である。
【００９５】
「blu-ray Disc」２０１ａは、ターンテーブル１２上において回転操作されているときに、図７において実線で示す正規の位置にある状態から、図７において点線で示すように、一方向にθ°チルトすることがある。
【００９６】
図８は、「blu-ray Disc」２０１ａが正規の位置からチルトしたときに発生する波面収差を示すグラフである。
【００９７】
「blu-ray Disc」２０１ａが正規の位置からチルトすると、図８に示すように、チルト量θの増加に伴って、略直線的に波面収差が増加する。このような「blu-ray Disc」２０１ａのチルトにより生じる波面収差は、補正板２９を「blu-ray Disc」２０１ａのチルトとは反対の方向に所定角度だけチルトさせることにより、除去することができる。
【００９８】
図９は、「blu-ray Disc」２０１ａを用いるときに、波面収差の補正のために補正板２９をチルトさせた状態を示す側面図である。
【００９９】
この光ピックアップ装置においては、補正板２９は、図９に示すように、連結部材３５を軸として、ホルダー３２と一体的に、光ディスクの半径方向、または、トラッキング方向、あるいは、これらいずれの方向にも、対物レンズ２８の光軸に対して傾けることができるようになっている。そして、この補正板２９は、図１に示すように、チルト調整機構３６により、対物レンズ２８の光軸に対して傾斜される。
【０１００】
図１０は、θ°チルトした状態にある「blu-ray Disc」２０１ａに対して、波面収差を最小（チルト量θ°が０のときの波面収差）とするために必要な補正板２９のチルト量ψ°を示すグラフである。
【０１０１】
この光ピックアップ装置においては、図１０に示すように、「blu-ray Disc」２０１ａのチルト量θ°に対して、補正板２９のチルト量ψ°をほぼ比例した関係とすることにより、波面収差（コマ収差）を０．００５λｒｍｓ程度に抑えることができる。すなわち、「blu-ray Disc」２０１ａチルト量θ°がわかれば、波面収差を抑えるために必要な補正板２９のをチルト量ψ°を求めることができる。
【０１０２】
図１１は、「blu-ray Disc」２０１ａにおけるコマ収差を補正するために補正板２９をチルトさせる過程を示すフローチャートである。
【０１０３】
「blu-ray Disc」２０１ａにおけるコマ収差を補正するために補正板２９をチルトさせるには、図１１に示すように、まず、第１過程（ｓｔ１）として、ディスクチルトセンサ４０において、「blu-ray Disc」２０１ａからの反射光を検出する。このディスクチルトセンサ４０は、図１に示すように、この光ピックアップ装置に設けられており、発光部（ＬＥＤ）４０ａと受光部４０ｂとから構成されている。発光部４０ａからの光線は、「blu-ray Disc」２０１ａの信号記録層２０２ａによって反射され、受光部４０ｂ上に到達する。「blu-ray Disc」２０１ａにチルトが生じると、受光部４０ｂ上における反射光の位置が正規の位置からずれる。このような受光部４０ｂ上における反射光の位置のずれに基づいて、「blu-ray Disc」２０１ａのチルト量を検出することができる。
【０１０４】
そして、図１１に示すように、第２過程（ｓｔ２）では、ディスクチルトセンサ４０における反射光の位置ずれ量から「blu-ray Disc」２０１ａのチルト方向と、チルト量θ°を演算する。
【０１０５】
第３過程（ｓｔ３）では、第２過程（ｓｔ２）で求めたチルト量θ°から、補正板２９のチルト量ψ°を求める。前述したように、「blu-ray Disc」２０１ａのチルト量θ°と補正板２９のチルト量ψ°との間には、ほぼ比例関係があるので、これらの関係を表す式から、補正板２９のチルト量ψ°を求めることができる。
【０１０６】
第４過程（ｓｔ４）では、補正板２９のチルト方向を「blu-ray Disc」２０１ａのチルト方向の反対方向（正負が反対）とし、チルト量をψ°とする信号を、チルト調整機構３６に供給する。
【０１０７】
第５過程（ｓｔ５）では、チルト調整機構３６は、供給された信号に基づいて、補正板２９を所定のチルト方向に所定のチルト量ψ°だけチルトさせる。
【０１０８】
なお、「blu-ray Disc」２０１ａのチルト方向は、この「blu-ray Disc」２０１ａのラジアル方向（径方向）及びタンジェンシャル方向（周方向）のいずれも考えられる。また、「blu-ray Disc」２０１ａのチルト方向及びチルト量を求める方法は、前述したようなディスクチルトセンサを用いる方法に限定されず、他の方法であってもよい。
【０１０９】
ところで、「blu-ray Disc」２０１ａのディスクチルトについての規格は、ラジアル方向の最大チルト量が±０．７°、タンジェンシヤル方向の最大チルト量が±０．３°である。すると、図１０より、補正板２９は、余裕をみて、±０．２°チルトできるようにすれぱよい。そして、補正板２９を０．２°チルトさせても、この補正板２９が対物レンズ２８及ぴ「blu-ray Disc」２０１ａに衝突しないことが必要である。補正板２９のサイズは、対物レンズ２８と、この対物レンズ２８を搭載するアクチュエータのサイズから、５ｍｍ以上３０ｍｍ以下であることが望ましい。そして、対物レンズ２８の第２面２８ｂと補正板２９の前面との距離は、前述の第１の実施の形態に示した対物レンズ２８の第２面２８ｂと補正板２９の前面との距離ＷＤ１１に０．０５ｍｍを加えた距離以上であることが必要である。また、補正板２９の後面と「blu-ray Disc」２０１ａのレーザ光入射面２０３ａとの距離は、前述の第１の実施の形態に示した補正板２９の後面と「blu-ray Disc」２０１ａのレーザ光入射面２０３ａとの距離ＷＤ１２に０．０５ｍｍを加えた距離以上であることが必要である。
【０１１０】
したがって、作動距離ＷＤ１としては、０．５ｍｍ以上（０．５ｍｍ≦ＷＤ１）を確保することが望ましく、対物レンズ２８への入射光の光束径φが１０ｍｍ以下（φ≦１０ｍｍ）とすれば、対物レンズ２８の焦点距離ｆは、０．８８ｍｍ乃至５．８９ｍｍ（０．８８ｍｍ≦ｆ≦５．８９ｍｍ）、第１面２８ａの曲率半径Ｒ１は、０．５６ｍｍ乃至７．１２ｍｍ（０．５６ｍｍ≦Ｒ１≦７．１２ｍｍ）、対物レンズ２８の厚さｔは、１１．８３ｍｍ以下（ｔ≦１１．８３ｍｍ）であることが望ましい。
【０１１１】
さらには、対物レンズ２８への入射光の光束径φは、５ｍｍ以下（φ≦５ｍｍ）であることが望ましく、対物レンズ２８の焦点距離ｆは、０．８８ｍｍ乃至２．９４ｍｍ（０．８８ｍｍ≦ｆ≦２．９４ｍｍ）、第１面２８ａの曲率半径Ｒ１は、０．５６ｍｍ乃至３．２５ｍｍ（０．５６ｍｍ≦Ｒ１≦３．２５ｍｍ）、対物レンズ２８の厚さｔは、４．８ｍｍ以下（ｔ≦４．８ｍｍ）であることが望ましい。
【０１１２】
〔第３の実施の形態〕
図１２は、この実施の形態における補正板の構成を示す側面図である。
【０１１３】
この光ピックアップ装置においては、図１２に示すように、補正板として、「blu-ray Disc」２０１ａを用いるときに対物レンズ２８と「blu-ray Disc」２０１ａとの間の光路中に挿入される第１の補正板２９ａと、「ＨＤ−ＤＶＤ」２０１ｃを用いるときに対物レンズ２８ａと「ＨＤ−ＤＶＤ」２０１ｃとの間の光路中に挿入される第２の補正板２９ｂとを用いて構成してもよい。第２の補正板２９ｂは、第１の補正板２９ａよりも薄く、これら第１及び第２の補正板２９ａ，２９ｂの厚さの差は、「blu-ray Disc」２０１ａの透明基板の厚さｔ１と「ＨＤ−ＤＶＤ」２０１ｃの透明基板の厚さｔ２との差に相当している。すなわち、これら補正板２９ａ，２９ｂの厚さの差は、「blu-ray Disc」２０１ａの透明基板の厚さｔ１と「ＨＤ−ＤＶＤ」２０１ｃの透明基板の厚さｔ２との差に相当する厚さ、例えば、０．５ｍｍとなされている。
【０１１４】
第１及び第２の補正板２９ａ，２９ｂは、各光ディスク２０１ａ，２０１ｃの透明基板に等しい屈折率を有する透明部材、例えば、ポリカーボネイト（Polycarbonate）により形成された平行平面板である。
【０１１５】
この光ピックアップ装置においては、「blu-ray Disc」２０１ａ及び「ＨＤ−ＤＶＤ」２０１ｃのいずれを用いる場合においても、これら光ディスクが対物レンズ２８の光軸に対して垂直な状態から傾いた（チルトした）場合に生ずるコマ収差を、第１、または、第２の補正板２９ａ，２９ｂをチルトさせることにより補正することができる。
【０１１６】
対物レンズ２８は、前述の実施の形態におけると同様に、開口数（ＮＡ）が「blu-ray Disc」２０１ａを用いる場合の開口数（０．８５）となされている。そして、この対物レンズ２８は、「ＨＤ−ＤＶＤ」２０１ｃの透明基板の厚さｔ２に第２の補正板２９ｂの厚さを加えた厚さに対応して、無限共役に最適化されて設計されている。そして、「ＨＤ−ＤＶＤ」２０１ｃの透明基板の厚さｔ２に第２の補正板２９ｂの厚さを加えた厚さは、「blu-ray Disc」２０１ａの透明基板の厚さｔ１に第１の補正板２９ａの厚さを加えた厚さに等しくなっている。
【０１１７】
これら補正板２９ａ，２９ｂは、前述の実施の形態におけると同様に、連結部材３５を介して、ホルダー３２によって保持されている。このホルダー３２において、各補正板２９ａ，２９ｂは、図１２に示すように、並列的に隣接されて保持されている。このホルダー３２は、図１に示すように、支軸３３に対して一体に形成されている。この支軸３３は、駆動モータ３４によって回動操作可能となっている。すなわち、各補正板２９ａ，２９ｂは、駆動モータ３４によって、対物レンズ２８からの出射光の光軸上に第１の補正板２９ａが挿入される状態と、この出射光の光軸上に第２の補正板２９ｂが挿入される状態とに亘って、移動操作可能となっている。「blu-ray Disc」２０１ａを用いる場合には、第１の補正板２９ａが光軸上に挿入され、「ＨＤ−ＤＶＤ」２０１ｃを用いる場合には、第２の補正板２９ｂが光軸上に挿入される。
【０１１８】
図１３Ａ及び図１３Ｂは、この光ピックアップ装置における対物レンズ及び補正板の構成を示す側面図である。
【０１１９】
対物レンズ２８の第２面２８ｂから第１の補正板２９ａの前面までの距離ＷＤ１１と第１の補正板２９ａの後面から「blu-ray Disc」２０１ａの透明基板の表面（レーザ光Ｌの入射面）２０３ａとの間の距離ＷＤ１２とを合わせた作動距離ＷＤ１は、図１３Ａに示すように、略０．５５ｍｍ程度である。また、対物レンズ２８の第２面２８ｂから第２の補正板２９ｂの前面までの距離ＷＤ２１と第２の補正板２９ｂの後面から「ＨＤ−ＤＶＤ」２０１ｃの透明基板の表面（レーザ光Ｌの入射面）２０３ｃとの間の距離ＷＤ２２とを合わせた作動距離ＷＤ２は、図１３Ｂに示すように、作動距離ＷＤ１に等しく略０．５５ｍｍ程度である。
【０１２０】
対物レンズ２８の硝材として、「ＮＢＦ１」（ＨＯＹＡ製光学ガラス）を用いた場合には、この対物レンズ２８の青色半導体レーザ２１から出射された波長４０５ｎｍのレーザ光Ｌに対する屈折率Ｎは、１．７６８９８５である。ここで、波長４０５ｎｍにおいて、無限共役に最適化して設計した対物レンズ２８の仕様を以下の〔表７〕に示す。
【表７】
2006164331.tif 000015
【０１２１】
また、対物レンズ２８の第１面２８ａ及び第２面２８ｂの非球面形状は、前述した〔数１〕に示す多項式を用いて表すことができる。この〔数１〕の多項式を用いて、対物レンズ２８の第１面２８ａを非球面に形成するための非球面係数Ａ４乃至Ａ１２の一例を以下の〔表８〕に示す。
【表８】
2006164331.tif 000016
【０１２２】
また、〔数１〕の多項式を用いて、対物レンズ２８の第２面２８ｂを非球面に形成するための非球面係数Ａ４乃至Ａ１０の一例を以下の〔表９〕に示す。
【表９】
2006164331.tif 000017
【０１２３】
この光ピックアップ装置において「blu-ray Disc」２０１ａを用いる場合の各光学素子の構成を以下の〔表１０〕に示す。
【表１０】
2006164331.tif 000018
【０１２４】
また、この光ピックアップ装置において「ＨＤ−ＤＶＤ」２０１ｃを用いる場合の各光学素子の構成を以下の〔表１１〕に示す。
【表１１】
2006164331.tif 000019
【０１２５】
これら〔表１０〕及び〔表１１〕より、この実施の形態においては、対物レンズ２８の第１面２８ａの頂点における曲率半径は２．１４６６４５ｍｍであり、第２面２８ｂの頂点における曲率半径は−１０．８４７２５ｍｍであり、対物レンズ２８の第１面２８ａ及び第２面２８ｂ間のレンズ厚さは３．１ｍｍであり、対物レンズ２８の第２面２８ｂから第１の補正板２９ａの前面までの距離ＷＤ１１及び第１の補正板２９ａの後面から「blu-ray Disc」２０１ａの表面までの距離ＷＤ１２を合わせた作動距離ＷＤ１と、対物レンズ２８の第２面２８ｂから第２の補正板２９ｂの前面までの距離ＷＤ２１及び第２の補正板２９ｂの後面から「ＨＤ−ＤＶＤ」２０１ｃの表面までの距離ＷＤ２２を合わせた作動距離ＷＤ２とは、ともに略０．５５ｍｍである。
【０１２６】
そして、この光ピックアップ装置においては、前述の実施の形態と同様に、開口制限部２７が設けられている。
【０１２７】
図１４は、対物レンズの開口数を０．８５としたときの正弦条件不満足量及び縦収差を示したグラフである。
【０１２８】
図１５は、対物レンズの開口数を０．６５としたときの正弦条件不満足量及び縦収差を示したグラフである。
【０１２９】
対物レンズ２８は、レーザ光Ｌに対して、図１４及び図１５に示すように、「blu-ray Disc」２０１ａ及び「ＨＤ−ＤＶＤ」２０１ｃのいずれにも対応して、正弦条件を略満足するように設計されている。
【０１３０】
図１４において、縦軸はレーザ光Ｌの対物レンズ２８ヘの開口数（ＮＡ）０．８５に対して正規化した光線高さを示し、横軸はズレ量（ｍｍ）を示している。また、図１５において、縦軸はレーザ光Ｌの対物レンズ２８ヘの開口数（ＮＡ）０．６５に対して正規化した光線高さを示し、横軸はズレ量（ｍｍ）を示している。
【０１３１】
この実施の形態の光ピックアップ装置について、「blu-ray Disc」２０１ａの信号記録層２０２ａ上及び「ＨＤ−ＤＶＤ」２０１ｃの信号記録層２０２ｃ上における収差特性を以下の〔表１２〕に示す。
【表１２】
2006164331.tif 000020
【０１３２】
この〔表１２〕において、軸上収差は対物レンズ２８の光軸に平行にレーザ光Ｌを入射したときの波面収差を示し、像高特性は対物レンズ２８の光軸に対して０．３°傾いたレーザ光Ｌを入射したときの波面収差を示し、偏芯特性は対物レンズ２８の第１面２８ａ及び第２面２８ｂの中心の偏芯が３μｍであるときの波面収差を示している。
【０１３３】
図１４及び図１５に示すように、「blu-ray Disc」２０１ａを用いるときと「ＨＤ−ＤＶＤ」２０１ｃを用いるときのそれぞれの開口数（０．８５及び０．６５）に合わせて、略正弦条件が満たされるように対物レンズ２８を設計することにより、〔表１２〕に示すように、「blu-ray Disc」２０１ａ及び「ＨＤ−ＤＶＤ」２０１ｃの双方について、像高によって生じるコマ収差の発生を抑えることができる。また、縦収差について、それぞれの開口数に合わせて、ほぼ無収差として設計することにより、球面収差を抑えることができる。
【０１３４】
そして、「blu-ray Disc」２０１ａ及び「ＨＤ−ＤＶＤ」２０１ｃは、ターンテーブル１２上において回転操作されているときに、正規の位置にある状態から、一方向にθ°チルトすることがある。
【０１３５】
図１６は、「blu-ray Disc」２０１ａが正規の位置からチルトしたときに発生する波面収差を示すグラフである。
【０１３６】
「blu-ray Disc」２０１ａが正規の位置からチルトすると、図１６に示すように、チルト量θ°の増加に伴って、略直線的に波面収差が増加する。このような「blu-ray Disc」２０１ａのチルトにより生じる波面収差は、第１の補正板２９ａを「blu-ray Disc」２０１ａのチルトとは反対の方向に所定角度だけチルトさせることにより、除去することができる。この光ピックアップ装置においては、第１の補正板２９ａは、連結部材３５を軸として、ホルダー３２と一体的に、光ディスクの半径方向、または、トラッキング方向、あるいは、これらいずれの方向にも、対物レンズ２８の光軸に対して傾けることができる。そして、この第１の補正板２９ａは、チルト調整機構３６により、対物レンズ２８の光軸に対して傾斜される。
【０１３７】
図１７は、θ°チルトした状態にある「blu-ray Disc」２０１ａに対して、波面収差を最小（チルト量θ°が０のときの波面収差）とするために必要な第１の補正板２９ａのチルト量ψ°を示すグラフである。
【０１３８】
この光ピックアップ装置においては、図１７に示すように、「blu-ray Disc」２０１ａのチルト量θ°に対して、第１の補正板２９ａのチルト量ψ°をほぼ比例した関係とすることにより、波面収差（コマ収差）を０．００５λｒｍｓ程度に抑えることができる。すなわち、「blu-ray Disc」２０１ａチルト量θ°がわかれば、波面収差を抑えるために必要な第１の補正板２９ａのチルト量ψ°を求めることができる。
【０１３９】
図１８は、「ＨＤ−ＤＶＤ」２０１ｃが正規の位置からチルトしたときに発生する波面収差を示すグラフである。
【０１４０】
「ＨＤ−ＤＶＤ」２０１ｃが正規の位置からチルトすると、図１８に示すように、チルト量θの増加に伴って、略直線的に波面収差が増加する。このような「ＨＤ−ＤＶＤ」２０１ｃのチルトにより生じる波面収差は、第２の補正板２９ｂを「ＨＤ−ＤＶＤ」２０１ｃのチルトとは反対の方向に所定角度だけチルトさせることにより、除去することができる。この光ピックアップ装置においては、第２の補正板２９ｂは、連結部材３５を軸として、ホルダー３２と一体的に、光ディスクの半径方向、または、トラッキング方向、あるいは、これらいずれの方向にも、対物レンズ２８の光軸に対して傾けることができる。そして、この第２の補正板２９ｂは、チルト調整機構３６により、対物レンズ２８の光軸に対して傾斜される。
【０１４１】
図１９は、θ°チルトした状態にある「ＨＤ−ＤＶＤ」２０１ｃに対して、波面収差を最小（チルト量θ°が０のときの波面収差）とするために必要な第２の補正板２９ｂのチルト量ψ°を示すグラフである。
【０１４２】
この光ピックアップ装置においては、図１９に示すように、「ＨＤ−ＤＶＤ」２０１ｃのチルト量θ°に対して、第２の補正板２９ｂのチルト量ψ°をほぼ比例した関係とすることにより、波面収差（コマ収差）を０．００５λｒｍｓ程度に抑えることができる。すなわち、「ＨＤ−ＤＶＤ」２０１ｃチルト量θ°がわかれば、波面収差を抑えるために必要な第２の補正板２９ｂのをチルト量ψ°を求めることができる。
【０１４３】
図２０は、「blu-ray Disc」２０１ａ及び「ＨＤ−ＤＶＤ」２０１ｃにおけるコマ収差を補正するために各補正板２９ａ，２９ｂをチルトさせる過程を示すフローチャートである。
【０１４４】
「blu-ray Disc」２０１ａ及び「ＨＤ−ＤＶＤ」２０１ｃにおけるコマ収差を補正するために各補正板２９ａ，２９ｂをチルトさせるには、図２０に示すように、まず、第１過程（ｓｔ１）として、ディスクチルトセンサ４０において、「blu-ray Disc」２０１ａ、または、「ＨＤ−ＤＶＤ」２０１ｃからの反射光を検出する。このディスクチルトセンサ４０は、図１に示すように、この光ピックアップ装置に設けられており、発光部（ＬＥＤ）４０ａと受光部４０ｂとから構成されている。発光部４０ａからの光線は、「blu-ray Disc」２０１ａ、または、「ＨＤ−ＤＶＤ」２０１ｃの信号記録層２０２ａ，２０２ｃによって反射され、受光部４０ｂ上に到達する。「blu-ray Disc」２０１ａ、または、「ＨＤ−ＤＶＤ」２０１ｃにチルトが生じると、受光部４０ｂ上における反射光の位置が正規の位置からずれる。このような受光部４０ｂ上における反射光の位置のずれに基づいて、「blu-ray Disc」２０１ａ、または、「ＨＤ−ＤＶＤ」２０１ｃのチルト量を検出することができる。
【０１４５】
そして、図２０に示すように、第２過程（ｓｔ２）では、ディスクチルトセンサ４０における反射光の位置ずれ量から「blu-ray Disc」２０１ａ、または、「ＨＤ−ＤＶＤ」２０１ｃのチルト方向と、チルト量θ°を演算する。
【０１４６】
第３過程（ｓｔ３）では、第２過程（ｓｔ２）で求めたチルト量θ°から、第１、または、第２の補正板２９ａ，２９ｂのチルト量ψ°を求める。前述したように、「blu-ray Disc」２０１ａ及び「ＨＤ−ＤＶＤ」２０１ｃのチルト量θ°と各補正板２９ａ，２９ｂのチルト量ψ°との間には、ほぼ比例関係があるので、これらの関係を表す式から、各補正板２９ａ，２９ｂのチルト量ψ°を求めることができる。
【０１４７】
第４過程（ｓｔ４）では、各補正板２９ａ，２９ｂのチルト方向を「blu-ray Disc」２０１ａ、または、「ＨＤ−ＤＶＤ」２０１ｃのチルト方向の反対方向（正負が反対）とし、チルト量をψ°とする信号を、チルト調整機構３６に供給する。
【０１４８】
第５過程（ｓｔ５）では、チルト調整機構３６は、供給された信号に基づいて、各補正板２９ａ，２９ｂを所定のチルト方向に所定のチルト量ψ°だけチルトさせる。
【０１４９】
なお、「blu-ray Disc」２０１ａ及び「ＨＤ−ＤＶＤ」２０１ｃのチルト方向は、これら「blu-ray Disc」２０１ａ及び「ＨＤ−ＤＶＤ」２０１ｃの径方向（ラジアル方向）及び周方向（タンジェンシャル方向）のいずれも考えられる。また、「blu-ray Disc」２０１ａ及び「ＨＤ−ＤＶＤ」２０１ｃのチルト方向及びチルト量を求める方法は、前述したようなディスクチルトセンサを用いる方法に限定されず、他の方法であってもよい。
【０１５０】
〔第４の実施の形態〕
本発明に係る光ピックアップ装置においては、前述したように、補正板２９をなす材料は、「blu-ray Disc」２０１ａ及び「ＨＤ−ＤＶＤ」２０１ｃの透明基板に近い屈折率を有する材料が望ましい。このような材料であれば、ポリカーボネイト（Polycarbonate）に限らず、他の合成樹脂材料であってもガラスであってもよい。
【０１５１】
補正板２９が「blu-ray Disc」２０１ａ及び「ＨＤ−ＤＶＤ」２０１ｃの透明基板と異なる屈折率を有している場合には、この補正板２９を平行平面板とすると、球面収差の補正を十分に行うことができず、良好な記録、または、再生を行うことができない。
【０１５２】
ここで、補正板２９の屈折率が、「blu-ray Disc」２０１ａ及び「ＨＤ−ＤＶＤ」２０１ｃの透明基板の屈折率よりも小さい１．５５である場合について考える。この場合に、前述の第１の実施の形態と同様の構成を有する光ピックアップ装置において、補正板２９の形状も同様の平行平面板であるとすると、「blu-ray Disc」２０１ａの記録、再生時に発生する球面収差は、軸上で０．０６８λｒｍｓとなる。
【０１５３】
したがって、この場合に良好に球面収差の補正を行うには、補正板２９の形状を変更しなければならない。すなわち、補正板２９の対物レンズ２８側の面（１面）及び光ディスク側の面（２面）の少なくともいずれか一方を球面とすることにより、球面収差を低減させることができる。補正板２９の２面を球面形状としたときの「blu-ray Disc」２０１ａに対する各光学素子の形成について、以下の〔表１３〕に示す。
【表１３】
2006164331.tif 000021
【０１５４】
補正板２９の２面を球面形状として、この補正板２９を僅かに凸レンズの形状を有するものとすると、〔表１３〕に示すように、軸上収差は０．０３２λｒｍｓとなり、球面収差を十分に低減させることができる。
【０１５５】
なお、この実施の形態においては、「ＨＤ−ＤＶＤ」２０１ｃについては、補正板２９を対物レンズ２８からの出射光の光路上から除去するので、「ＨＤ−ＤＶＤ」２０１ｃを用いる場合の各光学素子の構成は、前記〔表５〕に示したものとなる。
【０１５６】
図２１は、θ°チルトした状態にある「blu-ray Disc」２０１ａに対して、屈折率１．５５の補正板をチルトさせて最小の波面収差にするためのチルト量ψ°を示すグラフである。
【０１５７】
この光ピックアップ装置においては、図２１に示すように、「blu-ray Disc」２０１ａのチルト量θ°に対して、補正板２９のチルト量ψ°をほぼ比例した関係とすることにより、波面収差（コマ収差）を０．００５λｒｍｓ程度に抑えることができる。すなわち、「blu-ray Disc」２０１ａチルト量θ°がわかれば、波面収差を抑えるために必要な補正板２９のをチルト量ψ°を求めることができる。すなわち、前記図１１により示した手順と同様の手順により、コマ収差を低減させることができる。
【０１５８】
ただし、この光ピックアップ装置においては、「blu-ray Disc」２０１ａのチルト量θ°が増加すると、補正板２９が平行基板である場合と異なり、補正板２９をψ°チルトさせても、コマ収差を完全に取り除くことはできない。例えば、「blu-ray Disc」２０１ａのチルト量θ°が１．２°のときには、波面収差は０．０３５λｒｍｓとなり、コマ収差が若干残留することとなる。
【０１５９】
一方、補正板２９をなす材料の屈折率が光ディスクの透明基板の屈折率よりも大きい場合には、この補正板２９の形状を僅かに凹レンズ形状とすることにより、球面収差を十分に低減させることができる。そして、この場合にも、「blu-ray Disc」２０１ａのチルト量θ°に対して、補正板２９のチルト量ψ°をほぼ比例した関係とすることにより、波面収差（コマ収差）を良好に補正することができる。
【０１６０】
また、補正板２９を凹レンズ形状や凸レンズ形状とする場合には、この凹レンズ形状や凸レンズ形状をフレネルレンズや回折面形状としてもよい。
【図面の簡単な説明】
【０１６１】
【図１】本発明に係る光ピックアップ装置の第１の実施の形態における全体構成を示す側面図である。
【図２】前記光ピックアップ装置の第１の実施の形態において、開口制限部として使用する液晶シャッタの液晶パターンを示す平面図である。
【図３】前記光ピックアップ装置の第１の実施の形態において、開口制限部として使用する液晶シャッタの動作原理を示す断面図である。
【図４】前記光ピックアップ装置の第１の実施の形態における対物レンズ及び補正板の構成を示す側面図である。
【図５】前記光ピックアップ装置の第１の実施の形態において、対物レンズの開口数を０．８５としたときの正弦条件不満足量及び縦収差を示したグラフである。
【図６】前記光ピックアップ装置の第１の実施の形態において、対物レンズの開口数を０．６５としたときの正弦条件不満足量及び縦収差を示したグラフである。
【図７】前記光ピックアップ装置の第２の実施の形態において、第１の光記録媒体が正規の位置からチルトしたときの状態を示す側面図である。
【図８】前記光ピックアップ装置の第２の実施の形態において、第１の光記録媒体が正規の位置からチルトしたときに発生する波面収差を示すグラフである。
【図９】前記光ピックアップ装置の第２の実施の形態において、第１の光記録媒体を用いるときに、波面収差の補正のために補正板をチルトさせた状態を示す側面図である。
【図１０】前記光ピックアップ装置の第２の実施の形態において、チルトした状態にある第１の光記録媒体に対して、波面収差を最小とするために必要な補正板のチルト量を示すグラフである。
【図１１】前記光ピックアップ装置の第２の実施の形態において、第１の光記録媒体におけるコマ収差を補正するために補正板をチルトさせる過程を示すフローチャートである。
【図１２】前記光ピックアップ装置の第３の実施の形態における補正板の構成を示す側面図である。
【図１３Ａ】前記光ピックアップ装置の第３の実施の形態における対物レンズ及び補正板の構成を示す側面図である。
【図１３Ｂ】前記光ピックアップ装置の第３の実施の形態における対物レンズ及び補正板の構成を示す側面図である。
【図１４】前記光ピックアップ装置の第３の実施の形態において対物レンズの開口数を０．８５としたときの正弦条件不満足量及び縦収差を示したグラフである。
【図１５】前記光ピックアップ装置の第３の実施の形態において対物レンズの開口数を０．６５としたときの正弦条件不満足量及び縦収差を示したグラフである。
【図１６】前記光ピックアップ装置の第３の実施の形態において、第１の光記録媒体が正規の位置からチルトしたときに発生する波面収差を示すグラフである。
【図１７】前記光ピックアップ装置の第３の実施の形態において、チルトした状態にある第１の光記録媒体に対して、波面収差を最小とするために必要な第１の補正板のチルト量を示すグラフである。
【図１８】前記光ピックアップ装置の第３の実施の形態において、第２の光記録媒体が正規の位置からチルトしたときに発生する波面収差を示すグラフである。
【図１９】前記光ピックアップ装置の第３の実施の形態において、チルトした状態にある第２の光記録媒体に対して、波面収差を最小とするために必要な第２の補正板のチルト量を示すグラフである。
【図２０】前記光ピックアップ装置の第３の実施の形態において、第１及び第２の光記録媒体におけるコマ収差を補正するために補正板をチルトさせる過程を示すフローチャートである。
【図２１】前記光ピックアップ装置の第４の実施の形態において、チルトした状態にある第１の光記録媒体に対して、補正板をチルトさせて最小の波面収差にするためのチルト量を示したグラフである。
【図２２】従来の光ピックアップ装置の形態を示した側面図である。
【符号の説明】
【０１６２】
１０      光ディスク駆動装置
１１      スピンドルモータ
１２      ターンテーブル
２０      光ピックアップ装置
２１      青色半導体レーザ
２７      開口制限部
２８      対物レンズ
２９      補正板
２９ａ    第１の補正板
２９ｂ    第２の補正板
３６      チルト調整機構
４０      ディスクチルトセンサ
２０１ａ  「blu-ray Disc」
２０１ｃ  「ＨＤ−ＤＶＤ」
２０２ａ  信号記録層
２０２ｃ  信号記録層
２０３ａ  レーザビーム入射面
２０３ｃ  レーザビーム入射面
【図１】
2006164331.tif 000022
【図２】
2006164331.tif 000023
【図３】
2006164331.tif 000024
【図４】
2006164331.tif 000025
【図５】
2006164331.tif 000026
【図６】
2006164331.tif 000027
【図７】
2006164331.tif 000028
【図８】
2006164331.tif 000029
【図９】
2006164331.tif 000030
【図１０】
2006164331.tif 000031
【図１１】
2006164331.tif 000032
【図１２】
2006164331.tif 000033
【図１３Ａ】
2006164331.tif 000034
【図１３Ｂ】
2006164331.tif 000035
【図１４】
2006164331.tif 000036
【図１５】
2006164331.tif 000037
【図１６】
2006164331.tif 000038
【図１７】
2006164331.tif 000039
【図１８】
2006164331.tif 000040
【図１９】
2006164331.tif 000041
【図２０】
2006164331.tif 000042
【図２１】
2006164331.tif 000043
【図２２】
2006164331.tif 000044